(57)【要約】  情報バックアップシステム（７００）が提供され、このシステムは、情報を、手持ち式装置（１０４）から受信し、この情報を、情報バックアップ装置（１０２）にある着脱可能な不揮発性メモリ（１０６）に書込み、この情報を、着脱可能な不揮発性メモリ（１０６）から別の手持ち式装置（２０４）に再書込する。
2009539196.tif 000002
【特許請求の範囲】
【請求項１】
情報バックアップシステム（７００）であって、
情報を、手持ち式装置（１０４）にあるメモリから受信し、
前記情報を、情報バックアップ装置（１０２）にある着脱可能な不揮発性メモリ（１０６）に書込み、
前記情報を、前記着脱可能な不揮発性メモリから、別の手持ち式装置（２０４）にあるメモリに再書込する、システム。
【請求項２】
前記情報を受信することは、配線接続を通じて、無線で、ユニバーサルシリアルバスコネクタを通じて、またはこれらの組合せ（１１０、２１０、５０６）を通じて、情報を受信することを含む、請求項１に記載のシステム。
【請求項３】
さらに、前記着脱可能な不揮発性メモリを、前記情報バックアップ装置（１０２）と、別の情報バックアップ装置（２０２）との間で移動させる、請求項１に記載のシステム。
【請求項４】
前記情報を書込むことは、前記情報を、コンピュータがアクセス可能なファイルフォーマットで書込むことを含む、請求項１に記載のシステム。
【請求項５】
前記情報を受信することおよび前記再書込することは、前記手持ち式装置（１０４）および前記別の手持ち式装置（２０４）を、自動的に識別する、請求項１に記載のシステム。
【請求項６】
情報バックアップシステム（７００）であって、
通信情報を、手持ち式装置（１０４）にあるメモリから受信し、
応答する通信情報を情報バックアップ装置（１０２）から提供し、
前記応答する通信情報に応答して、データ情報を、前記手持ち式装置（１０４）にある前記メモリから、前記情報バックアップ装置（１０２）に、リリースし、
前記データ情報を、情報バックアップ装置（１０２）にある着脱可能な不揮発性メモリに書込み、
通信情報を、別の手持ち式装置（２０４）にあるメモリから受信し、
応答する通信情報を、前記別の手持ち式装置（２０４）に、前記情報バックアップ装置（１０２）から提供し、
前記データ情報を、前記情報バックアップ装置（１０２）にある前記着脱可能な不揮発性メモリから、前記別の手持ち式装置（２０４）にある前記メモリに再書込する、システム。
【請求項７】
前記情報を受信することは、配線接続を通じて、無線で、ユニバーサルシリアルバスコネクタを通じて、またはこれらの組合せ（１１０、２１０、５０６）を通じて、情報を受信し再書込することを含む、請求項６に記載のシステム。
【請求項８】
さらに、前記着脱可能な不揮発性メモリを、前記手持ち式装置（１０４）のための前記情報バックアップ装置（１０２）と、別の手持ち式装置（２０４）のための別の情報バックアップ装置（２０２）との間で移動させる、請求項６に記載のシステム。
【請求項９】
前記情報を書込むことは、前記情報を、コンピュータ（５０２）がアクセス可能な、パーソナルコンピュータのためのファイルフォーマットで書込むことを含む、請求項６に記載のシステム。
【請求項１０】
前記情報を受信することおよび前記再書込することは、前記手持ち式装置（１０４）（
２０４）と、前記別の手持ち式装置（２０４）との間の互換性を自動的に識別し確保することを含む、請求項６に記載のシステム。
【請求項１１】
情報バックアップシステム（１００）であって、
情報を送信するためのメモリを含む手持ち式装置（１０４）と、
着脱可能な不揮発性メモリを有する情報バックアップ装置（１０２）とを備え、前記着脱可能な不揮発性メモリは、前記手持ち式装置（１０４）にある前記メモリから前記情報を受信し、前記情報を、前記情報バックアップ装置（１０２）にある前記着脱可能な不揮発性メモリに書込むためのものであり、
メモリを含む別の手持ち式装置（２０４）をさらに備え、前記メモリは、前記着脱可能な不揮発性メモリから前記情報を受信し、前記情報を前記別の手持ち式装置（２０４）にある前記メモリに再書込するためのものである、システム。
【請求項１２】
前記情報バックアップ装置（１０２）は、配線接続を通じて、無線で、ユニバーサルシリアルバスコネクタを通じて、またはこれらの組合せ（１１０、２１０、５０６）を通じて、情報を受信するためのものである、請求項１１に記載のシステム。
【請求項１３】
前記着脱可能な不揮発性メモリは、前記情報バックアップ装置（１０２）および前記別の情報バックアップ装置（２０２）両方における動作のためのものである、請求項１１に記載のシステム。
【請求項１４】
前記情報バックアップ装置（１０２）および前記別の情報バックアップ装置（２０２）との動作のためのコンピュータ（５０２）をさらに備える、請求項１１に記載のシステム。
【請求項１５】
前記情報バックアップ装置（１０２）は、前記手持ち式装置（１０４）および前記別の手持ち式装置（２０４）を自動的に識別するためのものである、請求項１１に記載のシステム。
【請求項１６】
情報バックアップシステム（１００）であって、
メモリを含む手持ち式装置（１０４）を備え、前記メモリは、通信情報を送信し、応答する通信情報の受信後に、データ情報を前記メモリからリリースするためのものであり、
情報バックアップ装置（１０２）をさらに備え、前記情報バックアップ装置は、応答する通信情報を、前記情報バックアップ装置から前記手持ち式装置（１０４）に提供し、前記データ情報を前記情報バックアップ装置（１０２）にある着脱可能な不揮発性メモリに書込むためのものであり、
メモリを含む別の手持ち式装置（２０４）をさらに備え、前記メモリは、通信情報を送信し、対応する通信情報の受信後に、データ情報を前記着脱可能な不揮発性メモリから前記別の手持ち式装置の前記メモリに書込むためのものである、システム。
【請求項１７】
前記情報バックアップ装置（１０２）は、配線接続を通じて、無線で、ユニバーサルシリアルバスコネクタを通じて、またはこれらの組合せ（１１０、２１０、５０６）を通じて、前記データ情報を受信し、書込むためのものである、請求項１６に記載のシステム。
【請求項１８】
前記着脱可能な不揮発性メモリは、前記手持ち式装置（１０４）のための前記情報バックアップ装置（１０２）および前記別の手持ち式装置（２０４）のための前記別の情報バックアップ装置（２０２）との動作のためのものである、請求項１６に記載のシステム。
【請求項１９】
前記情報バックアップ装置（１０２）と、前記手持ち式装置（１０４）と、前記別の情報バックアップ装置（２０２）と、前記別の手持ち式装置（２０４）との動作のためのコ
ンピュータ（５０２）のためのパーソナルコンピュータ（５０２）をさらに備える、請求項１６に記載のシステム。
【請求項２０】
前記情報バックアップ装置（１０２）は、前記手持ち式装置（１０４）と前記別の手持ち式装置（２０４）との間の互換性を自動的に識別し確保するためのものである、請求項１６に記載のシステム。
【発明の詳細な説明】
【技術分野】
【０００１】
関連出願との相互参照
この出願は、２００６年６月１日に出願された米国仮特許出願連続番号第６０／８０７，７１１号の利益を主張する。
【０００２】
技術分野
この発明は、概して手持ち式（handheld）装置に関し、より特定的には内蔵されたメモリを有する携帯電話に関する。
【背景技術】
【０００３】
パームコンピュータおよび携帯電話などの手持ち式装置は、広範に普及し個人使用用に非常に一般的になっている。たとえば、携帯電話は、最も一般的にはユーザが家または職場の外にいるときに使用される。携帯電話をこのように使用するときに、多くの問題が生じ得る。この携帯電話は、容易に破損され、置き忘れられ、または紛失されることがある。こうなると、この携帯電話に保存されていた情報も同じく失われる。この情報は、この携帯電話のメモリ以外の場所には存在しないことがよくある。時として、この情報は、他の情報源から大いに労を取って再入力し得る。大抵は、この情報は回復不能に失われる。
【０００４】
いくつかの小型装置が、携帯電話のメモリをバックアップするために開発されている。１つは、概ねユニバーサルシリアルバス（Universal Serial Bus：ＵＳＢ）フラッシュドライブの大きさで、コンピュータを介して接続を管理するためのＵＳＢコネクタを実装されている。情報はその内蔵不揮発性メモリに保存される。
【０００５】
別の装置は、電池式で、さまざまな携帯電話モデルに接続するための互換性のあるチップを備えている。やはり、情報は内蔵不揮発性メモリに保存される。
【０００６】
いくつかのシステムは、携帯電話とパーソナルコンピュータ上のOutlook（登録商標）またはOutlook Express（登録商標）プログラムとの間で、携帯電話の入力内容を編集し、転送することを可能とする。
【０００７】
数多くの解決方法が生み出されてきたが、１つの携帯電話からバックアップされた情報を取出し、それを異なる製造メーカーおよびモデルの代替携帯電話機に転送可能であるという課題に対処するのに苦労している。今ある解決方法は、情報を同一の電話に戻して復元することには優れているが、この情報を、異なる通信インターフェイスを有する別のモデルに適合させることに困難がある。
【０００８】
携帯電話技術における急速な変化および「マス・カスタマイゼーション」（“mass customization”）を考え合わせると、紛失、損傷、または盗難された携帯電話を、全く同じモデルで代替することは難しいことが多い。この結果、最新の携帯電話のために、情報を取出し、および／または再現することが必要となる。
【０００９】
この課題の解決方法は、長く求められてきたが、先行する開発は、解決方法を何ら教示または示唆しておらず、したがって、当業者は、この問題の解決方法を長く得られないでいる。
【発明の概要】
【課題を解決するための手段】
【００１０】
発明の開示
この発明は、情報を、手持ち式装置にあるメモリから受信し、この情報を、情報バックアップ装置にある着脱可能な不揮発性メモリに書込み、この情報を、着脱可能な揮発性メモリから、別の手持ち式装置へ再書込する、情報バックアップシステムを提供する。
【００１１】
この発明のある特定の実施例は、上記の局面に加えまたは代りに、他の局面を有する。この局面は、添付の図面を参照して以下の詳細な説明を読むことにより当業者にとって明らかとなるであろう。
【図面の簡単な説明】
【００１２】
【図１】この発明の実施例に従う配線接続の情報バックアップシステムを示す。
【図２】この発明の別の実施例に従う無線情報バックアップシステムを示す。
【図３】この発明の別の実施例に従う配線接続のバックアップ装置を示す。
【図４】この発明の別の実施例に従う無線バックアップ装置を示す。
【図５】コンピュータを含む、この発明の別の実施例に従う情報バックアップシステムを示す。
【図６】この発明の別の実施例に従う汎用バックアップ装置を示す。
【図７】この発明に従い機能する例示的な情報バックアップシステムのフローチャートである。
【発明を実施するための形態】
【００１３】
発明を実施するための最良の形態
以下の実施例は、当業者がこの発明を実現し利用することを可能にするのに十分に詳細に説明される。他の実施例が本開示に基づいて明白であろうこと、およびシステム、工程、または機械的な変更がこの発明の範囲を逸脱することなくなされてもよいことが理解されるべきである。
【００１４】
以下の説明において、数多くの具体的な詳細点がこの発明の十分な理解をもたらすために提供される。しかしながら、この発明は、こういった具体的な詳細点なしに実施してもよいことが明らかであろう。この発明を不明瞭にすることを避けるために、いくつかの周知の回路、システム構成、および工程ステップは詳細には開示されていない。
【００１５】
同様に、このシステムの実施例を示す図面は半概略図であり、原寸に比例しておらず、特に、いくつかの寸法は、説明を理解しやすいように非常に誇張されて図面に示されている。
【００１６】
用語「手持ち式装置」は、個人用携帯情報端末（ＰＤＡ）、個人使用ナビゲーションシステム（ＧＰＳ）、iPod（登録商標）、携帯電話、小型タブレットコンピュータ、などの装置を含むことが意図される。用語「携帯電話」は、従来の携帯電話のみならず、デジタルスクリーン、内蔵コンピュータ、インターネット接続装置、コードレス電話を含む「スマートフォン」と、基本的な携帯電話の一体化しているコンポーネントとしてより一般的になってきているカメラおよびミュージックビデオ機能などの追加機能を備えた他の電話とを含むことが意図される。
【００１７】
次に図１を参照して、この発明の実施例に従う配線接続の情報バックアップシステム１００を図１に示す。配線接続の情報バックアップシステム１００は、バックアップ装置１０２と手持ち式装置１０４とを含む。
【００１８】
着脱可能なメモリモジュール１０６は、異なるタイプの手持ち式装置（たとえば図２の手持ち式装置２０４）と互換性がある別の情報バックアップシステムにインストールする
ことができる。
【００１９】
インストールされると、着脱可能なメモリモジュール１０６は、専用化されたマイクロプロセッサであるマイクロコントローラ１０８に接続される。マイクロコントローラ１０８は、電気コネクタモジュール１１０に接続され、電気コネクタモジュール１１０は、特定の手持ち式装置１０４のための配線接続のコネクタ１１２にコードによって接続される。電気コネクタモジュール１１０は、手持ち式装置１０４内の充電式電池（図示せず）を充電するための充電器１１４にも接続されてよい。
【００２０】
バックアップ装置１０２は、手持ち式装置１０４の電源、内部装置電源から、または手持ち式装置の充電器１１４から給電されてもよい。
【００２１】
着脱可能なメモリモジュール１０６は、「共通」フォーマットを有するので、この発明のさまざまな実施例の間で交換することができる。手持ち式装置の間の通信ポートおよび通信プロトコルは、非常に多種多様である。たとえば、ほぼ携帯電話のモデルの数だけ携帯電話のインターフェイスはある。既存のバックアップシステムと互換性のない新しい携帯電話を入手した場合は、バックアップシステムの着脱可能なメモリモジュールを適切なマイクロプロセッサを有する新しいバックアップシステムにインストールすることができ、新しく入手した電話に情報を復元しやすくすることができる。
【００２２】
配線接続のコネクタ１１２と同じコネクタ構成を有する手持ち式装置１０４に対し、ハンドシェイク信号、ボーレート、電圧、およびコネクタピン配置を含む通信情報に関する情報がマイクロコントローラ１０８および／または着脱可能なメモリモジュール１０６を用いて保存されることができる。
【００２３】
着脱可能なメモリモジュール１０６は、フラッシュカード、ＵＳＢフラッシュドライブ、または任意の他のタイプのポータブルメモリであり得る。情報は、バックアップ装置１０２によって読出／書込できる上にさらににコンピュータアプリケーションよって読出／書込されるフォーマットで保存される。
【００２４】
次に図２を参照して、この発明の別の実施例に従う無線情報バックアップシステム２００を図２に示す。無線情報バックアップシステム２００、無線バックアップ装置２０２、およびたとえばBluetooth（登録商標）携帯電話などの無線手持ち式装置２０４。
【００２５】
無線バックアップ装置２０２は、マイクロコントローラ２０８に接続可能である着脱可能な不揮発性メモリモジュール２０６を含む。
【００２６】
マイクロコントローラ２０８は、無線周波（ＲＦ）送受信機２１０に接続され、無線周波（ＲＦ）送受信機２１０は手持ち式装置２０４とBluetooth（登録商標）または赤外線を介して通信する。
【００２７】
次に図３を参照して、この発明の別の実施例に従う配線接続のバックアップ装置３００を図３に示す。配線接続のバックアップ装置３００は、着脱可能なメモリモジュール３０２と、マイクロコントローラ３０４と、有線接続３０８を備える電気コネクタモジュール３０６とを含む。
【００２８】
有線接続３０８は着脱可能であり、別の手持ち式装置に接続可能なように、異なる構成の接続と交換することができる。これは交換可能なコネクタチップを用いてもよい。
【００２９】
マイクロコントローラ３０４は、情報を読出／書込むための、手持ち式装置とのハンド
シェイクを含む情報通信を司る。マイクロコントローラ３０４は、電気コネクタモジュール３０６とインターフェイス接続し、手持ち式装置の多数の異なる製造メーカーおよびモデルに対して機能する通信チャネルを供給する。
【００３０】
次に図４を参照して、この発明の別の実施例に従う無線バックアップ装置４００を図４に示す。無線バックアップ装置４００は、マイクロコントローラ４０４に接続可能な着脱可能な不揮発性メモリモジュール４０２を含む。マイクロコントローラ４０４は、ＲＦまたは赤外周波数通信チャネルを提供する送受信機４０６に接続される。特に、手持ち式装置が携帯電話であった場合、携帯電話はBluetooth（登録商標）通信基準に対応するが、このバックアップ装置４００は、この基準を用いるほとんどの携帯電話に対応することができる。
【００３１】
次に図５を参照して、コンピュータ５０２を含む、この発明の別の実施例に従う情報バックアップシステム５００を図５に示す。情報バックアップシステム５００は、着脱可能なメモリモジュール２０６、３０２、および４０２と同様の着脱可能なメモリモジュール５０４を含む。着脱可能なメモリモジュール５０４は、ポータブルコンピュータ５０２などのコンピュータに接続することができるＵＳＢコネクタ５０６を有する。これにより、着脱可能なメモリモジュール５０４は、メモリモジュール読取装置を実装されるホストコンピュータによって直接アクセスされることが可能となる。これによって、情報バックアップシステム間のみならずコンピュータ間の転送もしやすくなる。これによって、その後、情報バックアップシステムに、そして手持ち式装置へ転送され戻される情報の編集が可能となる。
【００３２】
さらに、この情報は、ＮＡＮＤフラッシュデバイスまたはバックアップモジュール内でフォーマットすることができるので、既存のコンピュータアプリケーションと互換性がある。たとえば、携帯電話にOutlook（登録商標）やThunderbird（登録商標）などのコンタクトアプリケーションを用いてもよい。情報バックアップシステム５００は、コンピュータ５０２には標準ＵＳＢフラッシュドライブのように見える。よって、携帯電話情報は、コンピュータに常駐のすべてのアプリケーションにとって直ちに利用可能になる。
【００３３】
次に図６を参照して、この発明の別の実施例に従う汎用バックアップ装置６００を図６に示す。汎用バックアップ装置６００は、着脱可能なメモリモジュール６０２と、着脱できないメモリモジュール６０４とを含む。メモリモジュール６０２およびメモリモジュール６０４は、マイクロコントローラ６０６に接続される。
【００３４】
マイクロコントローラ６０６は、配線接続のコネクタ６１０のための電気コネクタモジュール６０８に接続される。マイクロコントローラ６０６は、無線コネクタモジュール６１２と、ＵＳＢコネクタ６１４とに接続される。マイクロコントローラ６０６は、インジケータまたはＬＥＤ６１６にさらに接続され、情報のバックアップが行なわれているときを示す。
【００３５】
汎用バックアップ装置６００は、別の手持ち式装置の自動検出を行ない、情報の適切なバックアップを開始することができる。これは、配線接続のコネクタ６１０またはＵＳＢコネクタ６１４への接続のいずれかを検出することにより、または無線コネクタモジュール６１２への近接によって起こる。
【００３６】
汎用バックアップ装置６００は、コンピュータの内部／外部記憶装置間で、汎用バックアップ装置６００を通じて手持ち式装置へ、またはコンピュータから消去可能なメモリへ、情報を転送することができ、消去可能なメモリは最も直近の情報を保存することができるように差分バックアップを行なうことを可能にする。固着のメモリモジュール６０４は
、手持ち式装置のほとんどの製造メーカーおよびモデルの構成およびインターフェイスデータの保存を可能にする情報ファイル６１８を含む。
【００３７】
汎用バックアップ装置６００を、メモリスティック、フラッシュメモリカード、またはSubscriber Identification Module（ＳＩＭ）カードなどの装置の中に含めることもできることが注目されるべきである。
【００３８】
携帯電話の各メーカーおよびモデルに対する独自の通信コマンドセットを備えることが可能であるが、ほとんどの移動通信（ＧＳＭ）電話は、標準の「Attention」（ＡＴ）コマンドセットの拡張バージョンを用いる。たとえば、コマンド「ＡＴ＋ＣＰＢＲ」は、接続が配線接続によるものであれ無線によるものであれ、携帯電話の登録内容を取得するために用いられる。一旦チャネルが開かれると、同一のコマンドフォーマットが適用される。よってBluetooth（登録商標）インターフェイスを備えた汎用バックアップシステムは、携帯電話の異なる製造メーカーおよびモデルについて、最も広範な互換性を実現する。
【００３９】
次に図７を参照して、ブロック７０２にある、情報を、手持ち式装置にあるメモリから受信し、ブロック７０４にある、この情報を、情報バックアップ装置にある着脱可能な不揮発性メモリに書込み、ブロック７０６にある、この情報を、着脱可能な不揮発性メモリから、別の手持ち式装置に再書込する、情報バックアップシステムのためのフローチャートを図７に示す。
【００４０】
この発明は、特定の最良の形態に関連して説明されたが、多くの変更、応用、修正および変形が上記の説明に鑑みて当業者には明らかであろうことが理解されるべきである。したがって、ここに含まれる請求項の範囲内にあるこのような変更、修正、および変形のすべてを包含することが意図される。ここまでに本明細書中に記載されたまたは添付の図面に示されたすべての事項は、例示的および非制限的意味合いで解釈されるべきものである。
【図１】
2009539196.tif 000003
【図２】
2009539196.tif 000004
【図３】
2009539196.tif 000005
【図４】
2009539196.tif 000006
【図５】
2009539196.tif 000007
【図６】
2009539196.tif 000008
【図７】
2009539196.tif 000009
【国際調査報告】
2009539196.tif 000010
2009539196.tif 000011